(57)【要約】  【課題】吸入マフラー内に吸入される冷媒にゴミが含まれていた場合でも、効率を低下させることなく、信頼性の高い圧縮機を提供する。  【解決手段】吸入マフラー１１１は、入口部１３１が消音空間部１１４に延出開口し出口部１３２が吸入口に連通した連通管１３３を備えるとともに、連通管１３３の入口部１３１に、フィルタ１４１を周設したもので、冷媒の通過するフィルタ１４１の表面積を大きくすることで、冷媒の流路抵抗を小さくできるため効率を大きく低下させることなく、さらにフィルタ１４１より下流を溶着固定しないため、フラッシュやノロがシリンダに入り込むことが無く、信頼性の高い密閉型圧縮機を提供することができる。【選択図】図２
2006329142.tif 000002
【特許請求の範囲】
【請求項１】
冷媒ガスを圧縮するシリンダと、前記シリンダに連通開口する吸入口と、樹脂材料からなり消音空間部を形成する吸入マフラーを備えた圧縮要素と、前記圧縮要素を収納する密閉容器とを有し、前記吸入マフラーは、入口部が前記消音空間に延出開口し出口部が前記吸入口に連通した連通管を備えるとともに、前記連通管の入口部に、フィルタを周設した密閉型圧縮機。
【請求項２】
フィルタは、複数の面が折曲形成される請求項１に記載の密閉型圧縮機。
【請求項３】
フィルタの複数の面は、柱面の一部または平面またはこれらの面の組み合わせで構成される請求項２に記載の密閉型圧縮機。
【請求項４】
フィルタの端部が、消音空間部の内壁面に接触固定される請求項２または請求項３に記載の密閉型圧縮機。
【請求項５】
消音空間部の内壁面に溝部を凹設し、フィルタを前記溝部に挿入固定させた請求項４に記載の密閉型圧縮機。
【請求項６】
前記連通管の入口部の開口部が対向するフィルタの一面を、消音空間部の内壁面に圧入固定した請求項２から請求項５のいずれか１項に記載の密閉型圧縮機。
【請求項７】
吸入マフラー内に形成され、前記連通管の入口部の開口部が対向するフィルタの一面を保持する保持部と、前記保持部に圧入嵌合される止め具とを備え、前記保持部と前記止め具によって前記フィルタの一面を挟持固定した請求項２から請求項５のいずれか１項に記載の密閉型圧縮機。
【発明の詳細な説明】
【技術分野】
【０００１】
本発明は、主に家庭用冷蔵庫に用いられる密閉型圧縮機に関するものである。
【背景技術】
【０００２】
従来、信頼性向上を目的とした密閉型圧縮機は、樹脂の吸入マフラーにおいて、吸入マフラーの接合部に金網を挟み、溶着により金網と吸入マフラーを一体に固定したものがある（例えば、特許文献１参照）。
【０００３】
以下、図面を参照しながら上記従来の密閉型圧縮機を説明する。
【０００４】
図７は従来の密閉型圧縮機の平面断面図、図８は従来の密閉型圧縮機の縦断面図、図９は従来の密閉型圧縮機の吸入マフラーの断面図を示すものである。
【０００５】
図７、図８、図９において、密閉容器１に密閉容器１内に開口する吸入管開口部２を有する吸入管３が固定され、密閉容器１内には電動モータ４によって駆動される圧縮要素５が収容され、圧縮要素５はピストン６が往復動するシリンダ７と、シリンダ７の開口端に配設されシリンダ７内と連通する吸入口８を有するバルブプレート９と、吸入マフラー１０とを有している。
【０００６】
吸入マフラー１０は樹脂材料からなる第１吸入マフラー１０ａと、第２吸入マフラー１０ｂを超音波溶着によって一体に接合することで消音空間部１１を形成しており、第１吸入マフラー１０ａと、第２吸入マフラー１０ｂとの間には金網１４を挟着固定している。
【０００７】
第１吸入マフラー１０ａには吸入口８に連通する出口部１２が形成されており、第２吸入マフラー１０ｂには密閉容器１内に開口する吸入マフラー開口部１３が形成されていて、吸入マフラー開口部１３は吸入管開口部２に近接対向しており、スプリング１５によって接続されている。
【０００８】
以上のように構成された密閉型圧縮機について、以下その動作を説明する。
【０００９】
電動モータ４によって圧縮要素５のピストン６は、シリンダ７内で往復運動し、吸入ガスを圧縮する所定の圧縮動作を行う。
【００１０】
外部冷却回路（図示せず）から密閉容器１内に流れてきた冷媒は、吸入管３を介して、吸入管開口部２よりスプリング１５の内部を通過し、吸入マフラー開口部１３を通って吸入マフラー１０内に吸入され、消音空間部１１に開放された後、金網１４、出口部１２、バルブプレート９に設けた吸入口８を通ってシリンダ７内に間欠的に吸入される。
【００１１】
その際冷媒は、外部冷却回路（図示せず）を通り循環しており、吸入マフラー１０内に吸入される冷媒にゴミが含まれていた場合でも金網１４によりゴミを捕獲することができる。その結果、冷媒中のゴミをシリンダ７内に吸入することを防ぐことができるため密閉型圧縮機の信頼性は向上する。
【特許文献１】実開昭６２−７２４７７号公報
【発明の開示】
【発明が解決しようとする課題】
【００１２】
しかしながら、上記従来の構成では、金網１４は、吸入マフラー１０内の冷媒の流れ方向に対して、ほぼ直角に配設されるので表面積を大きくできないため、流路抵抗が大きくなり、効率を低下させるという課題を有していた。
【００１３】
また、第１吸入マフラー１０ａと、第２吸入マフラー１０ｂを超音波溶着によって一体に接合しているため、溶着加圧条件のバラツキによっては、溶けた樹脂が針状に固化したフラッシュや同様に溶けた樹脂が塊状や薄板状に固化したノロが消音空間部１１内に発生することがあった。
【００１４】
吸入マフラー１０内部に発生したフラッシュやノロは発見、除去が困難であり、金網１４より下流で発生したものは運転中にシリンダ７の中に吸入され、ピストン６の往復運動を阻害し、信頼性を低下させるという課題を有していた。
【００１５】
本発明は、上記従来の課題を解決するもので、高効率で信頼性が高い密閉型圧縮機を提供することを目的とする。
【課題を解決するための手段】
【００１６】
上記従来の課題を解決するために本発明の密閉型圧縮機は、吸入マフラーは、入口部が前記消音空間に延出開口し出口部が前記吸入口に連通した連通管を備えるとともに、前記連通管の入口部に、フィルタを周設したもので、冷媒の通過するフィルタの表面積を大きくすることで、冷媒の流路抵抗を小さくでき、またフィルタを溶着固定しないため、フィルタより下流でフラッシュやノロが発生しないという作用を有する。
【発明の効果】
【００１７】
本発明の密閉型圧縮機は、流路抵抗を小さくできるため効率を大きく低下させることなく、かつフィルタより下流でフラッシュやノロが発生しないので、フラッシュやノロがシリンダに入り込むことが無く、信頼性の高い密閉型圧縮機を提供することができる。
【発明を実施するための最良の形態】
【００１８】
請求項１に記載の発明は、冷媒ガスを圧縮するシリンダと、前記シリンダに連通開口する吸入口と、樹脂材料からなり消音空間部を形成する吸入マフラーを備えた圧縮要素と、前記圧縮要素を収納する密閉容器とを有し、前記吸入マフラーは、入口部が前記消音空間に延出開口し出口部が前記吸入口に連通した連通管を備えるとともに、前記連通管の入口部に、フィルタを周設したもので、冷媒の通過するフィルタの表面積を大きくすることで、冷媒の流路抵抗を小さくできるため効率が高く、またフィルタより下流でフラッシュやノロが発生しないのでフラッシュやノロがシリンダに入り込むことが無く、信頼性の高い密閉型圧縮機を提供することができる。
【００１９】
請求項２に記載の発明は、請求項１に記載の発明に加えて、フィルタは、複数の面が折曲形成されるもので、フィルタの形状を簡素にすることでフィルタを安価に作成でき、安価に信頼性の高い密閉型圧縮機を提供することができる。
【００２０】
請求項３に記載の発明は、請求項２に記載の発明に加えて、フィルタの複数の面は、柱面の一部または平面またはこれらの面の組み合わせで構成されるもので、フィルタの形状を簡素にすることでフィルタを安価に作成でき、安価に信頼性の高い密閉型圧縮機を提供することができる。
【００２１】
請求項４に記載の発明は、請求項２または請求項３に記載の発明に加えて、フィルタの端部が、消音空間部の内壁面に接触固定されたもので、フィルタの形状を簡素にすることでフィルタを安価に作成でき、安価に信頼性の高い密閉型圧縮機を提供することができる。
【００２２】
請求項５に記載の発明は、請求項４に記載の発明に加えて、消音空間部の内壁面に溝部を凹設し、フィルタを前記溝部に挿入固定させたもので、消音空間部の内壁面とフィルタの間に隙間ができにくくなることでフィルタがゴミをより確実に捕獲することができ、さらに高い信頼性の密閉型圧縮機を提供することができる。
【００２３】
請求項６に記載の発明は、請求項２から請求項５に記載のいずれか１項の発明に加えて、前記連通管の入口部の開口部が対向するフィルタの一面を、消音空間部の内壁面に圧入固定したもので、別途部品を必要とせず、またフィルタを消音空間部の内壁面に安定した固定ができるので、さらに高い信頼性の密閉型圧縮機を提供することができる。
【００２４】
請求項７に記載の発明は、請求項２から請求項５に記載のいずれか１項の発明に加えて、吸入マフラー内に形成され、前記連通管の入口部の開口部が対向するフィルタの一面を保持する保持部と、前記保持部に圧入嵌合される止め具とを備え、前記保持部と前記止め具によって前記フィルタの一面を挟持固定したもので、フィルタを消音空間部の壁面に安定した固定ができるので、さらに高い信頼性の密閉型圧縮機を安価に提供することができる。
【００２５】
以下、本発明の実施の形態について、図面を参照しながら説明する。なお、この実施の形態によってこの発明が限定されるものではない。
【００２６】
（実施の形態１）
図１は、本発明の実施の形態１における密閉型圧縮機の縦断面図、図２は、同実施の形態１における吸入マフラーの組立断面図、図３は、同実施の形態１における吸入マフラーの分解斜視図である。
【００２７】
図１から図３において、密閉容器１０１には密閉容器１０１内に開口する吸入管開口部１０２を有する吸入管１０３が固定され、電動モータ１０４によって駆動される圧縮要素１０５が収容されている。また密閉容器１０１内には冷媒１０６が充填されている。
【００２８】
圧縮要素１０５はピストン１０７が往復動するシリンダ１０８と、シリンダ１０８の開口端に配設されシリンダ１０８内と連通する吸入口１０９を有するバルブプレート１１０と、吸入マフラー１１１とを備えている。
【００２９】
吸入マフラー１１１は樹脂で形成され、第１吸入マフラー１１１ａと、第２吸入マフラー１１１ｂを超音波溶着によって溶着接合しており、消音空間部１１４を形成する。また吸入マフラー１１１は、入口部１２１が密閉容器１０１内に開口し出口部１２２が消音空間部１１４に開口した尾管１２３と、入口部１３１が消音空間部１１４に開口し出口部１３２が吸入口１０９に開口した連通管１３３とを有する。
【００３０】
尾管１２３は第１吸入マフラー１１１ａと一体に成型されており、かつ尾管１２３の略軸方向に分割されない構成であり、入口部１２１は尾管１２３の略軸方向に対してほぼ直角の方向に開口している。
【００３１】
また、連通管１３３は第１吸入マフラー１１１ａと一体に成型されており、かつ連通管１３３の略軸方向に分割されない構成であり、出口部１３２は連通管１３３の略軸方向に対してほぼ直角の方向に開口している。
【００３２】
第１吸入マフラー１１１ａの消音空間部１１４の内壁面には、第２吸入マフラー１１１ｂとの接合面から上方に向けて連通管１３３と平行に溝部１２４を凹設しており、フィルタ１４１を溝部１２４に嵌合係止させている。消音空間部１１４の内壁面は、金型を用いて成型しているので、消音空間部１１４の内壁面および溝部１２４は、第２吸入マフラー１１１ｂとの接合面から上方に向けて狭くなる抜き勾配を有する。
【００３３】
フィルタ１４１は、細い径の鋼線を直交交差させて編み込んだ金網から形成され、溝部１２４に嵌合係止させる平面部１４１ａと、連通管１３３の入口部１３１と対向する折り曲げ部１４１ｂとで構成され、折り曲げ部１４１ｂの外周部１４１ｃを消音空間部１１４の内壁面に圧入することでフィルタ１４１を消音空間部１１４内に固定している。
【００３４】
以上のように構成された密閉型圧縮機について、以下その動作、作用を説明する。
【００３５】
電動モータ１０４によって圧縮要素１０５が駆動され、ピストン１０７がシリンダ１０８内で往復動することで吸入ガスを圧縮する所定の圧縮動作を行う。
【００３６】
外部冷却回路（図示せず）から流れてきた冷媒１０６は吸入管１０３の吸入管開口部１０２から密閉容器１０１内へと流入し吸入マフラー１１１の尾管１２３を介して吸入マフラー１１１へ吸入される。吸入マフラー１１１へ吸入された冷媒１０６は消音空間部１１４から連通管１３３を介して吸入口１０９からシリンダ１０８へと吸入され、ピストン１０７によってシリンダ１０８内で圧縮された後、再び外部冷却回路（図示せず）へと吐出される。
【００３７】
この際、冷媒１０６は連通管１３３を通る前にフィルタ１４１を通過するので、冷媒１０６によって運ばれたゴミはフィルタ１４１によって捕獲される。
【００３８】
一方、連通管１３３は第１吸入マフラー１１１ａと一体に成型されており、かつ連通管１３３の略軸方向に分割されない構成であるため、フィルタ１４１より下流でフラッシュやノロが発生することがなく、運転中にフラッシュやノロがシリンダ１０８の中に吸入され、ピストン１０７の往復運動を阻害し、信頼性を低下させるということを防ぐことができ、信頼性の高い密閉型圧縮機を実現できる。
【００３９】
一方、フィルタ１４１は溝部１２４に嵌合係止させる平面部１４１ａと、平面部１４１ａから連通管１３３の入口部１３１と対向に折曲形成した折り曲げ部１４１ｂとで構成されるため表面積が大きく、これを冷媒１０６が通過するので、流路抵抗が小さくなるため、効率の低下を小さく押さえることができる。
【００４０】
特に、インバータの高回転時においては、冷媒１０６の循環量が増加し、フィルタ１４１のところでの圧力降下は大きくなるため、本実施の形態による効果は大きくなる。
【００４１】
また、フィルタ１４１は細い径の鋼線を直交交差させて編み込んだ金網から形成され、３つの平面部１４１ａ、平面部１４１ａ、折り曲げ部１４１ｂから構成されており、所定の位置で折り曲げるだけで形成することができ、複雑な金型等を必要とせず、安価にフィルタ１４１を得ることができる。
【００４２】
また、外周部１４１ｃを消音空間部１１４の内壁面に圧入しているので、別途部品を用いることなくフィルタ１４１を消音空間部１１４内に固定することができ、安価に信頼性が高い密閉型圧縮機を実現できる。
【００４３】
また、本実施の形態において、消音空間部１１４の内壁面は金型を用いて成型しているので、消音空間部１１４の内壁面および溝部１２４は、第２吸入マフラー１１１ｂとの接合面から上方に向けて狭くなる抜き勾配を有するため、消音空間部１１４の第２吸入マフラー１１１ｂとの接合面の溝部１２４を含めた幅はフィルタ１４１の幅に比べて広いので、フィルタ１４１の消音空間部１１４への挿入作業は容易である。
【００４４】
なお、本実施の形態において、溝部１２４は消音空間部１１４の内壁面に凹設すると例示して説明したが、消音空間部１１４の内壁面に凸設した１対のレール状のリブで溝部を形成してもよい。
【００４５】
また、本実施の形態において、フィルタ１４１は３つの平面で構成したが、平面の代わりに柱面の一部をもって構成しても、平面をたわませるだけで形成でき、複雑な金型等を必要とせず、安価にフィルタ１４１を得ることができる。
【００４６】
また、本実施の形態において、フィルタ１４１は細い径の鋼線を直交交差させて編み込んだ金網を例示して説明したが、微細な孔を多数設けた多孔性フィルタでも良い。
【００４７】
（実施の形態２）
図４は、本発明の実施の形態２における密閉型圧縮機の縦断面図、図５は、同実施の形態２における吸入マフラーの組立断面図、図６は、同実施の形態２における吸入マフラーの分解斜視図である。
【００４８】
図４から図６において、密閉容器１０１には密閉容器１０１内に開口する吸入管開口部１０２を有する吸入管１０３が固定され、電動モータ１０４によって駆動される圧縮要素３０５が収容されている。また密閉容器１０１内には冷媒１０６が充填されている。
【００４９】
圧縮要素３０５はピストン１０７が往復動するシリンダ１０８と、シリンダ１０８の開口端に配設されシリンダ１０８内と連通する吸入口３０９を有するバルブプレート３１０と、吸入マフラー３１１とを備えている。
【００５０】
吸入マフラー３１１は樹脂で形成され、第１吸入マフラー３１１ａと、第２吸入マフラー３１１ｂを超音波溶着によって溶着接合しており、消音空間部３１４を形成する。また吸入マフラー３１１は、入口部３２１が密閉容器１０１内に開口し出口部３２２が消音空間部３１４に開口した尾管３２３と、入口部３３１が消音空間部３１４に開口し出口部３３２が吸入口３０９に開口した連通管３３３とを有する。
【００５１】
尾管３２３は第１吸入マフラー３１１ａと一体に成型されており、かつ尾管３２３の略軸方向に分割されない構成であり、入口部３２１は尾管３２３の略軸方向に対してほぼ直角の方向に開口している。
【００５２】
また、連通管３３３は第１吸入マフラー３１１ａと一体に成型されており、かつ連通管３３３の略軸方向に分割されない構成であり、出口部３３２は連通管３３３の略軸方向に対してほぼ直角の方向に開口している。
【００５３】
第１吸入マフラー３１１ａの消音空間部３１４の内壁面には、第２吸入マフラー３１１ｂとの接合面から上方に向けて連通管３３３と平行に溝部３２４を凹設しており、フィルタ３４１を溝部３２４に嵌合係止させている。消音空間部３１４の内壁面は、金型を用いて成型しているので、消音空間部３１４の内壁面および溝部３２４は、第２吸入マフラー３１１ｂとの接合面から上方に向けて狭くなる抜き勾配を有する。
【００５４】
第１吸入マフラー３１１ａの消音空間部３１４の第２吸入マフラー３１１ｂとの接合面に連通管３３３の入口部３３１と対向する位置にフィルタ３４１の折り曲げ部３４１ｂを保持する保持部３５１を有する。
【００５５】
フィルタ３４１は、細い径の鋼線を直交交差させて編み込んだ金網から形成され、溝部３２４に嵌合係止させる平面部３４１ａと、平面部３４１ａから連通管３３３の入口部３３１と対向に折曲形成した折り曲げ部３４１ｂとで構成され、折り曲げ部３４１ｂの外周部３４１ｃを消音空間部３１４の内壁面に圧入することと、保持部３５１と保持部３５１に圧入嵌合される止め具３５２によって折り曲げ部３４１ｂを挟持固定している。
【００５６】
以上のように構成された密閉型圧縮機について、以下その動作、作用を説明する。
【００５７】
電動モータ１０４によって圧縮要素３０５が駆動され、ピストン１０７がシリンダ１０８内で往復動することで吸入ガスを圧縮する所定の圧縮動作を行う。
【００５８】
外部冷却回路（図示せず）から流れてきた冷媒１０６は吸入管１０３の吸入管開口部１０２から密閉容器１０１内へと流入し吸入マフラー３１１の尾管３２３を介して吸入マフラー３１１へ吸入される。吸入マフラー３１１へ吸入された冷媒１０６は消音空間部３１４から連通管３３３を介して吸入口３０９からシリンダ１０８へと吸入され、ピストン１０７によってシリンダ１０８内で圧縮された後、再び外部冷却回路（図示せず）へと吐出される。
【００５９】
この際、冷媒１０６は連通管３３３を通る前にフィルタ３４１を通過するので、冷媒１０６によって運ばれたゴミはフィルタ３４１によって捕獲される。
【００６０】
一方、連通管３３３は第１吸入マフラー３１１ａと一体に成型されており、かつ連通管３３３の略軸方向に分割されない構成であるため、フィルタ３４１より下流でフラッシュやノロが発生することがなく、運転中にフラッシュやノロがシリンダ１０８の中に吸入され、ピストン１０７の往復運動を阻害し、信頼性を低下させるということを防ぐことができ、信頼性の高い密閉型圧縮機を実現できる。
【００６１】
一方、フィルタ３４１は溝部３２４に嵌合係止させる平面部３４１ａと、平面部３４１ａから連通管３３３の入口部３３１と対向に折曲形成した折り曲げ部３４１ｂとで構成されるため表面積が大きく、これを冷媒１０６が通過するので、流路抵抗が小さくなるため、効率の低下を小さく押さえることができる。
【００６２】
特に、インバータの高回転時においては、冷媒１０６の循環量が増加し、フィルタ３４１のところでの圧力降下は大きくなるため、本実施の形態による効果は大きくなる。
【００６３】
また、フィルタ３４１は細い径の鋼線を直交交差させて編み込んだ金網から形成され、３つの平面部３４１ａ、平面部３４１ａ、折り曲げ部３４１ｂから構成されており、所定の位置で折り曲げるだけで形成することができ、複雑な金型等を必要とせず、安価にフィルタ３４１を得ることができる。
【００６４】
また、本実施の形態において、消音空間部３１４の内壁面は金型を用いて成型しているので、消音空間部３１４の内壁面および溝部３２４は、第２吸入マフラー３１１ｂとの接合面から上方に向けて狭くなる抜き勾配を有するため、消音空間部３１４の第２吸入マフラー３１１ｂとの接合面の溝部３２４を含めた幅はフィルタ３４１の幅に比べて広いので、フィルタ３４１の消音空間部３１４への挿入作業は容易である。
【００６５】
なお、本実施の形態において、溝部３２４は消音空間部３１４の内壁面に凹設すると例示して説明したが、消音空間部３１４の内壁面に凸設した１対のレール状のリブで溝部を形成してもよい。
【００６６】
また、本実施の形態において、フィルタ３４１は３つの平面で構成したが、平面の代わりに柱面の一部をもって構成しても、平面をたわませるだけで形成でき、複雑な金型等を必要とせず、安価にフィルタ３４１を得ることができる。
【００６７】
また、本実施の形態において、フィルタ３４１は細い径の鋼線を直交交差させて編み込んだ金網を例示して説明したが、微細な孔を多数設けた多孔性フィルタでも良い。
【００６８】
また、本実施の形態において、止め具３５２は別体部品を例示して説明したが、第１吸入マフラー３１１ａと一体に成型してもよい。
【産業上の利用可能性】
【００６９】
以上のように、本発明にかかる密閉型圧縮機は、高効率および信頼性の高いものを備えることが可能となるので、エアーコンディショナー、冷凍冷蔵装置等に用いられる密閉型圧縮機にも適用できる。
【図面の簡単な説明】
【００７０】
【図１】本発明の実施の形態１における密閉型圧縮機の縦断面図
【図２】同実施の形態における吸入マフラーの組立断面図
【図３】同実施の形態における吸入マフラーの分解斜視図
【図４】本発明の実施の形態２における密閉型圧縮機の縦断面図
【図５】同実施の形態における吸入マフラーの組立断面図
【図６】同実施の形態における吸入マフラーの分解斜視図
【図７】従来の密閉型圧縮機の平面断面図
【図８】従来の密閉型圧縮機の縦断面図
【図９】従来の密閉型圧縮機の吸入マフラーの断面図
【符号の説明】
【００７１】
１０１  密閉容器
１０５、３０５  圧縮要素
１０６  冷媒
１０８  シリンダ
１０９、３０９  吸入口
１１１、３１１  吸入マフラー
１１４、３１４  消音空間部
１２１、３２１  入口部
１２２、３２２  出口部
１２３、３２３  尾管
１２４、３２４  溝部
１３１、３３１  入口部
１３２、３３２  出口部
１３３、３３３  連通管
１４１、３４１  フィルタ
１４１ａ、３４１ａ  平面部
１４１ｂ、３４１ｂ  折り曲げ部
１４１ｃ、３４１ｃ  外周部
３５１  保持部
３５２  止め具
【図１】
2006329142.tif 000003
【図２】
2006329142.tif 000004
【図３】
2006329142.tif 000005
【図４】
2006329142.tif 000006
【図５】
2006329142.tif 000007
【図６】
2006329142.tif 000008
【図７】
2006329142.tif 000009
【図８】
2006329142.tif 000010
【図９】
2006329142.tif 000011